(57)【要約】【課題】この発明は、フィルム映像のコマ数に同期させたビデオ画像を生成し、ビデオ画像のぼやけを解消することを目的とする。【解決手段】この発明は、フィルム映写装置を設け、ビデオ撮影装置を設け、ビデオ撮影装置が単位時間に生成するビデオ画像のフレーム数に対応するビデオ同期信号により、フィルム映写装置が単位時間に映写するフィルム映像のコマ数をビデオ撮影装置が単位時間に生成するビデオ画像のフレーム数に対応させるようにフィルム映写装置を制御するとともに、ビデオ撮影装置のフレーム数に対応するコマ数で映写されるフィルム映写装置のフィルム映像を撮影してビデオ画像を生成するようにビデオ撮影装置を制御する同期制御部を設け、ビデオ撮影装置が生成したビデオ画像の再生形式を変換して出力する画像変換部を設けたことを特徴とする。【選択図】図１
2010011006.tif 000002
【特許請求の範囲】
【請求項１】
フィルムに記録されたフィルム映像を映写するフィルム映写装置を設け、
前記フィルム映写装置が映写するフィルム映像を撮影してビデオ画像を生成するビデオ撮影装置を設け、
前記ビデオ撮影装置が単位時間に生成するビデオ画像のフレーム数に対応するビデオ同期信号により、前記フィルム映写装置が単位時間に映写するフィルム映像のコマ数を前記ビデオ撮影装置が単位時間に生成するビデオ画像のフレーム数に対応させるように前記フィルム映写装置を制御するとともに、前記ビデオ撮影装置のフレーム数に対応するコマ数で映写される前記フィルム映写装置のフィルム映像を撮影してビデオ画像を生成するように前記ビデオ撮影装置を制御する同期制御部を設け、
前記ビデオ撮影装置が生成したビデオ画像の再生形式を変換して出力する画像変換部を設けたことを特徴とするフィルムビデオ変換装置。
【請求項２】
前記ビデオ撮影装置は、単位時間に生成するビデオ画像のフレーム数をＰＡＬ方式の２５フレーム／秒とし、
前記同期制御部は、前記ビデオ撮影装置が単位時間に生成するビデオ画像のフレーム数の２５フレーム／秒に対応するビデオ同期信号を発生して前記フィルム映写装置及びビデオ撮影装置に供給し、前記フィルム映写装置が単位時間に映写するフィルム映像のコマ数を前記ビデオ撮影装置が単位時間に生成するビデオ画像のフレーム数の２５フレーム／秒に対応させるように前記フィルム映写装置を制御するとともに、前記ビデオ撮影装置のフレーム数に対応する２５コマ／秒のコマ数で映写される前記フィルム映写装置のフィルム映像を撮影して２５フレーム／秒のビデオ画像を生成するように前記ビデオ撮影装置を制御し、
前記画像変換部は、前記ビデオ撮影装置が生成したビデオ画像の再生形式をＰＡＬ方式の２５フレーム／秒からＮＴＳＣ方式の２５フレーム／秒に変換して出力することを特徴とする請求項１に記載のフィルムビデオ変換装置。
【請求項３】
前記ビデオ撮影装置は、単位時間に生成するビデオ画像のフレーム数をＮＴＳＣ方式の３０フレーム／秒とし、
前記同期制御部は、前記ビデオ撮影装置が単位時間に撮影するビデオ画像のフレーム数の３０フレーム／秒に対応するビデオ同期信号を発生して前記フィルム映写装置及びビデオ撮影装置に供給し、前記フィルム映写装置が単位時間に映写するフィルム映像のコマ数を前記ビデオ撮影装置が単位時間に生成するビデオ画像のフレーム数の３０フレーム／秒に対応させるように前記フィルム映写装置を制御するとともに、前記ビデオ撮影装置のフレーム数に対応する３０コマ／秒のコマ数で映写される前記フィルム映写装置のフィルム映像を撮影して３０フレーム／秒のビデオ画像を生成するように前記ビデオ撮影装置を前記ビデオ同期信号で制御し、
前記画像変換部は、前記ビデオ撮影装置が生成したビデオ画像の再生形式をＮＴＳＣ方式において３０フレーム／秒から２４フレーム／秒に変換して出力することを特徴とする請求項１に記載のフィルムビデオ変換装置。
【請求項４】
前記ビデオ撮影装置は、単位時間に生成するビデオ画像のフレーム数をＰＡＬ方式の２５フレーム／秒とし、
前記同期制御部は、前記ビデオ撮影装置が単位時間に撮影するビデオ画像のフレーム数の２５フレーム／秒に対応するビデオ同期信号を発生して前記フィルム映写装置及びビデオ撮影装置に供給し、前記フィルム映写装置が単位時間に映写するフィルム映像のコマ数を前記ビデオ撮影装置が単位時間に生成するビデオ画像のフレーム数の２５フレーム／秒に対応させるように前記フィルム映写装置を制御するとともに、前記ビデオ撮影装置のフレーム数に対応する２５コマ／秒のコマ数で映写される前記フィルム映写装置のフィルム映像を撮影して２５フレーム／秒のビデオ画像を生成するように前記ビデオ撮影装置を制御し、
前記画像変換部は、前記ビデオ撮影装置が生成したビデオ画像の再生形式をＰＡＬ方式において２５フレーム／秒から２４フレーム／秒に変換して出力することを特徴とする請求項１に記載のフィルムビデオ変換装置。
【発明の詳細な説明】
【技術分野】
【０００１】
この発明はフィルムビデオ変換装置に係り、特に、フィルム映像のコマ数に同期させたビデオ画像を生成し、ビデオ画像のぼやけを解消したフィルムビデオ変換装置に関する。
【背景技術】
【０００２】
１６ｍｍ・３５ｍｍ等のフィルム映像は、１６、１８、２４コマ／秒等で記録されている。これに対して、主なテレビジョンの信号の規格には、日本国内及び北米等で採用されている３０フレーム／秒のＮＴＳＣ方式、ヨーロッパや東南アジア等で採用されている２５フレーム／秒のＰＡＬ、ＳＥＣＡＭ方式がある。
フィルムに記録されたフィルム映像をテレビジョンで再生する際には、単位時間に映写するフィルム映像のコマ数を単位時間に生成するビデオ画像のフレーム数に対応させるために、テレシネ装置ともいわれるフィルムビデオ変換装置によってフィルム映像をビデオ信号のビデオ画像に変換している。
【０００３】
従来のフィルムビデオ変換装置には、２４コマ／秒のフィルム映像を６０フレーム／秒のビデオ画像に変換するものにおいて、変換後のフィルム映像の各コマの表示時間積算量が等しくなるように、変換後の所定フレームのビデオ画像として特定フィルム映像の前後のフィルム映像を補間した補間画像を用いるものがある。
また、従来のフィルムビデオ変換装置には、フィルム映像の再生速度と、ビデオ信号のフレーム信号あるいはフィールド信号とを比較してパルスを生成し、この生成したパルスでステッピングモータを制御してフィルムをコマ送り、フィルムとビデオ信号との１秒間の再生画像数の差を自動的に補間しながら再生するものがある。
【特許文献１】特開２００２−３５９７７５号公報
【特許文献２】特開２００６−３３３４１８号公報
【発明の開示】
【発明が解決しようとする課題】
【０００４】
ところで、従来のフィルムビデオ変換装置においては、単位時間に映写するフィルム映像のコマ数を単位時間に生成するビデオ画像のフレーム数に対応させるために、２−３プルダウン方式を採用している。２−３プルダウン方式では、古くはフィルムかき落としスプロケットによる機械式、現在は撮影した画像をデジタル化してフィールド単位で画像を配列挿入する（補間する）方法として利用されている。
ところが、２−３プルダウン方式のフィルムビデオ変換装置は、例えば、２４コマ／秒で映写する１６ｍｍ・３５ｍｍのフィルム映像に対して、ＮＴＳＣ方式の３０フレーム／秒で生成するビデオ画像との同期を得るために、５フレーム中の１フレームを、２つのフレームの各１つのフィールドから合成して補間しなければならず、ビデオ画像が鮮明に表示されずにぼやける等の問題がある。
【０００５】
この発明は、フィルム映像のコマ数に同期させたビデオ画像を生成し、ビデオ画像のぼやけを解消したフィルムビデオ変換装置を実現することを目的とする。
【課題を解決するための手段】
【０００６】
この発明は、フィルムに記録されたフィルム映像を映写するフィルム映写装置を設け、前記フィルム映写装置が映写するフィルム映像を撮影してビデオ画像を生成するビデオ撮影装置を設け、前記ビデオ撮影装置が単位時間に生成するビデオ画像のフレーム数に対応するビデオ同期信号により、前記フィルム映写装置が単位時間に映写するフィルム映像のコマ数を前記ビデオ撮影装置が単位時間に生成するビデオ画像のフレーム数に対応させるように前記フィルム映写装置を制御するとともに、前記ビデオ撮影装置のフレーム数に対応するコマ数で映写される前記フィルム映写装置のフィルム映像を撮影してビデオ画像を生成するように前記ビデオ撮影装置を制御する同期制御部を設け、前記ビデオ撮影装置が生成したビデオ画像の再生形式を変換して出力する画像変換部を設けたことを特徴とする。
【発明の効果】
【０００７】
この発明のフィルムビデオ変換装置は、同期制御部によって、フィルム映写装置が単位時間に映写するフィルム映像のコマ数をビデオ撮影装置が単位時間に生成するビデオ画像のフレーム数に対応させるようにフィルム映写装置をビデオ同期信号で制御し、ビデオ撮影装置のフレーム数に対応するコマ数で映写されるフィルム映写装置のフィルム映像を撮影してビデオ画像を生成するようにビデオ撮影装置をビデオ同期信号で制御するので、フィルム映像のコマ数に同期させたビデオ画像を生成することができ、フィルム画像とビデオ画像とを同期させてビデオ画像のぼやけを解消することができる。
また、この発明のフィルムビデオ変換装置は、画像変換装置によって、ビデオ撮影装置が生成したビデオ画像の再生形式を変換して出力することで、正規のフィルム映像速度のビデオ画像やテレビジョンの各方式に対応したビデオ画像を出力することができ、安価でかつ安定したフィルムビデオ変換装置を実現することができる。
【発明を実施するための最良の形態】
【０００８】
この発明は、フィルム映像のコマ数に同期させてビデオ画像を生成することで、ビデオ画像のぼやけを解消するものである。
以下、図面に基づいてこの発明の実施例を説明する。
【実施例１】
【０００９】
図１は、この発明の第１実施例を示すものである。図１において、１はフィルムビデオ変換装置である。フィルムビデオ変換装置１は、フィルム映写装置２と、ビデオ撮影装置３と、同期制御部４と、画像変換部５と、を設けている。
【００１０】
前記フィルム映写装置２は、フィルムＦの巻き出し用スプール６と、この巻き出し用スプール６から送られてきたフィルムＦを巻き取る巻き取り用スプール７と、巻き出し用スプール６及び巻き取り用スプール７を駆動する駆動モータ８と、光源であるランプ９と、ランプ９の光をフィルムＦに一定時間だけ当てるように開閉するシャッタ機構１０と、を備えている。フィルム映写装置２は、駆動モータ８により巻き出し用スプール６及び巻き取り用スプール７を駆動してフィルムＦを一定のコマ送り速度で送り、ランプ９の光をシャッタ機構１０の開閉で一定時間だけフィルムＦに当てることで、単位時間に一定のコマ数のフィルム映像（コマ数／秒）を映写する。
【００１１】
前記ビデオ撮影装置３は、フィルム映写装置２のランプ９に対して、フィルムＦを挟んで反対側に配設されている。ビデオ撮影装置３は、単位時間に撮影するビデオ画像のフレーム数をＰＡＬ方式の２５フレーム／秒とし、フィルム映写装置２の映写するフィルム映像を撮影してビデオ画像を生成する。
【００１２】
前記同期制御部４は、同期信号発生回路１１とモータ制御回路１２とを備えている。同期信号発生回路１１は、ビデオ撮影装置３が単位時間に生成するビデオ画像のフレーム数の２５フレーム／秒に対応するビデオ同期信号を発生し、フィルム映写装置２及びビデオ撮影装置３に供給する。モータ制御回路１２は、ビデオ同期信号を受けてフィルム映写装置２を制御する。
前記同期制御部４は、フィルム映写装置２が単位時間に映写するフィルム映像のコマ数を、ビデオ撮影装置３が単位時間に生成するビデオ画像のフレーム数の２５フレーム／秒に対応させるように、フィルム映写装置２の駆動モータ８及びシャッタ機構１０をモータ制御回路１２によりビデオ同期信号で制御する。また、同期制御部４は、ビデオ撮影装置３のフレーム数に対応する２５コマ／秒のコマ数で映写されるフィルム映写装置２のフィルム映像を撮影し、ＰＡＬ方式の２５フレーム／秒のビデオ画像を生成するように、ビデオ撮影装置３をビデオ同期信号で制御する。
【００１３】
前記画像変換部５は、ＰＡＬ−ＮＴＳＣ方式変換器などからなり、ビデオ撮影装置３が生成したビデオ画像の再生形式をＰＡＬ方式の２５フレーム／秒からＮＴＳＣ方式の２５フレーム／秒に変換して出力する。
【００１４】
次に作用を説明する。
フィルムビデオ変換装置１は、電源を投入すると、同期制御部４の同期信号発生回路１１がＰＡＬ方式のビデオ撮影装置３のフレーム数の２５フレーム／秒に対応するビデオ同期信号を発生し、フィルム映写装置２及びビデオ撮影装置３に供給する。
【００１５】
フィルム映写装置２は、ビデオ同期信号を受けたモータ制御回路１２により駆動モータ８及びシャッタ機構１０の駆動を制御され、巻き出し用スプール６及び巻き取り用スプール７を駆動してフィルムＦをビデオ撮影装置３のフレーム数の２５フレーム／秒に対応する２５コマ／秒のコマ送り速度で送り、ランプ９の光をシャッタ機構１０の開閉で一定時間だけフィルムＦに当てる。
これにより、フィルム映写装置２は、ビデオ画像のフレーム数の２５フレーム／秒に対応する２５コマ／秒のコマ数でフィルム映像を映写する。
【００１６】
ビデオ撮影装置３は、同期制御部４の同期信号発生回路１１から供給されるビデオ同期信号により動作を制御され、ＰＡＬ方式のフレーム数に対応する２５コマ／秒のコマ数で映写されるフィルム映写装置２のフィルム映像を撮影し、２５フレーム／秒のビデオ画像を生成する。
【００１７】
ビデオ撮影装置３が生成したビデオ画像は、画像変換部５に出力される。画像変換部５は、ビデオ画像をＰＡＬ方式の２５フレーム／秒からＮＴＳＣ方式の２５フレーム／秒に変換して出力する。出力されたビデオ画像は、ＮＴＳＣ方式のテレビジョンで再生することができる。また、ビデオ撮影装置３が生成した２５フレーム／秒のビデオ画像は、再生方式がＰＡＬ方式のテレビジョンの場合は、破線矢印に示すように、ビデオ画像を画像変換部５に通さずに出力し、そのまま再生することができる。
【００１８】
フィルム映写装置２は、通常、１６ｍｍ・３５ｍｍのフィルム映像を２４コマ／秒のコマ数で映写する。一方、ＮＴＳＣ方式のビデオ画像は３０フレーム／秒のフレーム数であり、ＰＡＬ方式のビデオ画像は２５フレーム／秒のフレーム数であることから、ＰＡＬ方式のビデオ画像のフレーム数はフィルムＦのコマ送り速度に近い。そこで、このフィルムビデオ変換装置１は、ＰＡＬ方式のビデオ同期信号でフィルム映写装置２の駆動モータ８、シャッタ機構１０の速度を制御し、フィルムＦのコマ送り速度を２４コマ／秒から２５コマ／秒へ変換している。
これにより、このフィルムビデオ変換装置１は、フィルム映像をフリッカーノイズの無いＰＡＬ方式に完全に同期されたビデオ画像へと変換することが可能となる。ＮＴＳＣ方式のビデオ画像の要求に対しては、ビデオ撮影装置３の出力の後で、ＰＡＬ・ＮＴＳＣ方式変換機等の画像変換部５を通すことより、ＮＴＳＣ方式のビデオ画像を得ることができる。また、最終的にＰＡＬ方式のビデオ画像が求められる場合には、ビデオ撮影装置３の出力を画像変換部５を通すことなく、後の映像処理へを送り込むことができる。
ただし、ビデオ撮影装置３の撮影時におけるフィルムＦのコマ送り速度は、２５／２４＝１．０４１６１６１６…と成っているため、映像速度・音声ピッチも速度が約４％アップした状態である。然しながら、この映像・音声ピッチの４％アップは、一般的な人間の視聴感覚に対してはほとんど影響はなく、特別な場合を除き通常の視聴に支障は無い。従って、この実施例のフィルムビデオ変換装置１は、簡易型テレシネ方式として十分機能するものである。つまり、このフィルムビデオ変換装置１は、簡易型（ＮＴＳＣ方式およびＰＡＬ方式共用）のテレシネ装置としての機能を実現することができる。
【００１９】
このように、このフィルムビデオ変換装置１は、同期制御部４によって、フィルム映写装置２が単位時間に映写するフィルム映像のコマ数をＰＡＬ方式のビデオ撮影装置３が単位時間に生成するビデオ画像のフレーム数の２５フレーム／秒に対応させるようにフィルム映写装置２をビデオ同期信号で制御し、ビデオ撮影装置３のフレーム数に対応する２５コマ／秒のコマ数で映写されるフィルム映写装置２のフィルム映像を撮影してビデオ画像を生成するようにビデオ撮影装置３をビデオ同期信号で制御している。
これにより、このフィルムビデオ変換装置１は、フィルム映像のコマ数に同期させたＰＡＬ方式の２５フレーム／秒のフレーム数のビデオ画像を生成することができ、ビデオ画像のぼやけを解消することができる。
また、このフィルムビデオ変換装置１は、画像変換部５によって、ビデオ撮影装置３が生成したビデオ画像の再生形式をＮＴＳＣ方式に変換して出力することで、正規のフィルム映像速度となっているビデオ画像やテレビジョンのＮＴＳＣ方式に対応したビデオ画像を出力することができる。一方、このフィルムビデオ変換装置１は、求められる再生方式がＰＡＬ方式の場合に、破線矢印に示すように、ビデオ画像を画像変換部５に通さずに、出力することができる。
これにより、このフィルムビデオ変換装置１は、安価でかつ安定したフィルムビデオ変換装置を実現することができる。
【実施例２】
【００２０】
図２は、この発明の第２実施例を示すものである。図２において、１０１はフィルムビデオ変換装置である。フィルムビデオ変換装置１０１は、フィルム映写装置１０２と、ビデオ撮影装置１０３と、同期制御部１０４と、画像変換部１０５とを、設けている。
【００２１】
前記フィルム映写装置１０２は、第１実施例同様に、巻き出し用スプール１０６と、巻き取り用スプール１０７と、駆動モータ１０８と、ランプ１０９と、シャッタ機構１１０と、を備えている。フィルム映写装置１０２は、駆動モータ１０８により巻き出し用スプール１０６及び巻き取り用スプール１０７を駆動してフィルムＦを一定のコマ送り速度で送り、ランプ１０９の光をシャッタ機構１１０の開閉で一定時間だけフィルムＦに当てることで、単位時間に一定のコマ数のフィルム映像（コマ数／秒）を映写する。
【００２２】
前記ビデオ撮影装置１０３は、フィルム映写装置１０２のランプ１０９に対して、フィルムＦを挟んで反対側に配設され、単位時間に撮影するビデオ画像のフレーム数をＮＴＳＣ方式の３０フレーム／秒とし、フィルム映写装置１０２の映写するフィルム映像を撮影してビデオ画像を生成する。
【００２３】
前記同期制御部１０４は、同期信号発生回路１１１とモータ制御回路１１２とを備えている。同期信号発生回路１１１は、ビデオ撮影装置１０３が単位時間に生成するビデオ画像のフレーム数の３０フレーム／秒に対応するビデオ同期信号を発生し、フィルム映写装置１０２及びビデオ撮影装置１０３に供給する。モータ制御回路１１２は、ビデオ同期信号を受けてフィルム映写装置１０２を制御する。
前記同期制御部１０４は、フィルム映写装置１０２が単位時間に映写するフィルム映像のコマ数を、ビデオ撮影装置１０３が単位時間に生成するビデオ画像のフレーム数の３０フレーム／秒に対応させるように、フィルム映写装置１０２の駆動モータ１０８及びシャッタ機構１１０をモータ制御回路１１２によりビデオ同期信号で制御する。また、同期制御部１０４は、ビデオ撮影装置１０３のフレーム数に対応する３０コマ／秒のコマ数で映写されるフィルム映写装置２のフィルム映像を撮影し、ＮＴＳＣ方式の３０フレーム／秒のビデオ画像を生成するように、ビデオ撮影装置１０３をビデオ同期信号で制御する。
【００２４】
前記画像変換部１０５は、ノン・リニアビデオ編集装置等のデジタル映像処理装置からなり、ビデオ画像の再生形式をＮＴＳＣ方式において３０フレーム／秒から、通常のフィルムＦのコマ送り速度に対応する２４フレーム／秒に変換して出力する。
【００２５】
次に作用を説明する。
フィルムビデオ変換装置１０１は、電源を投入すると、同期制御部１０４の同期信号発生回路１１１がＮＴＳＣ方式のビデオ撮影装置１０３のフレーム数の３０フレーム／秒に対応するビデオ同期信号を発生し、フィルム映写装置１０２及びビデオ撮影装置１０３に供給する。
【００２６】
フィルム映写装置１０２は、ビデオ同期信号を受けたモータ制御回路１１２により駆動モータ１０８及びシャッタ機構１１０の駆動を制御され、巻き出し用スプール１０６及び巻き取り用スプール１０７を駆動してフィルムＦをビデオ撮影装置１０３のフレーム数の３０フレーム／秒に対応する３０コマ／秒のコマ送り速度で送り、ランプ１０９の光をシャッタ機構１１０の開閉で一定時間だけフィルムＦに当てる。
これにより、フィルム映写装置１０２は、ビデオ画像のフレーム数の３０フレーム／秒に対応する３０コマ／秒のコマ数でフィルム映像を映写する。
【００２７】
ビデオ撮影装置１０３は、同期制御部１０４の同期信号発生回路１１１から供給されるビデオ同期信号により動作を制御され、ＮＴＳＣ方式のフレーム数に対応する３０コマ／秒のコマ数で映写されるフィルム映写装置１０２のフィルム映像を撮影し、３０フレーム／秒のビデオ画像を生成する。
【００２８】
ビデオ撮影装置１０３の撮影したビデオ画像は、画像変換部１０５に入力される。画像変換部１０５は、ビデオ画像をＮＴＳＣ方式において３０フレーム／秒から２４フレーム／秒の８０％再生速度に変換して出力する。出力されたビデオ画像は、ＮＴＳＣ方式のテレビジョンで再生することができる。
【００２９】
この実施例のフィルムビデオ変換装置１０１は、ＮＴＳＣ方式のビデオ同期信号の３０フレーム／秒で、直接フィルム映写装置１０２の駆動モータ１０８及びシャッタ機構１１０を駆動し、フィルムＦのコマお送り速度を３０コマ／秒に変換する。このフィルム映像を撮影して得られるビデオ画像は、ＮＴＳＣ方式と同期は取れているものの、画像速度が３０／２４＝１．２５となり、通常の速度の２５％アップとなる。再生状態は、映像速度・音声ピッチが２５％アップすると、早送り状態となる。
そこで、フィルムビデオ変換装置１０１は、得られたビデオ画像をデジタル映像処理装置（ノン・リニアビデオ編集装置等）の画像変換部１０５を通し、８０％に再生速度調整を行う。これにより、再生状態は、３０／２４×０．８＝１と、本来の速度となるので、完全な同期が取れ、且つ正規の映画速度を持つＮＴＳＣ方式のビデオ画像へ変換することが可能となる。このため、このフィルムビデオ変換装置１は、ＮＴＳＣ方式の完全同期型のテレシネ装置としての機能を実現することができる。
【００３０】
このように、このフィルムビデオ変換装置１０１は、同期制御部１０４によって、フィルム映写装置１０２が単位時間に映写するフィルム映像のコマ数をＮＴＳＣ方式のビデオ撮影装置１０３が単位時間に生成するビデオ画像のフレーム数の３０フレーム／秒に対応させるようにフィルム映写装置１０２をビデオ同期信号で制御し、ビデオ撮影装置１０３のフレーム数に対応する３０コマ／秒のコマ数で映写されるフィルム映写装置１０２のフィルム映像を撮影してビデオ画像を生成するようにビデオ撮影装置１０３をビデオ同期信号で制御している。
これにより、このフィルムビデオ変換装置１０１は、フィルム映像のコマ数に同期させたＮＴＳＣ方式の３０フレーム／秒のフレーム数のビデオ画像を生成することができ、フィルム画像とビデオ画像とを同期させてビデオ画像のぼやけを解消することができる。
また、このフィルムビデオ変換装置１０１は、画像変換部１０５によって、ビデオ撮影装置１０３が生成したビデオ画像の再生形式をＮＴＳＣ方式において速度調整して出力することで、正規のフィルム映像速度となっているビデオ画像であり、且つテレビジョンのＮＴＳＣ方式に完全に対応したビデオ画像を出力することができる。
これにより、このフィルムビデオ変換装置１０１は、安価でかつ安定したフィルムビデオ変換装置を実現することができる。
【実施例３】
【００３１】
図３は、この発明の第３実施例を示すものである。図３において、２０１はフィルムビデオ変換装置である。フィルムビデオ変換装置２０１は、フィルム映写装置２０２と、ビデオ撮影装置２０３と、同期制御部２０４と、画像変換部２０５と、を設けている。
【００３２】
前記フィルム映写装置２０２は、第１・第２実施例同様に、巻き出し用スプール２０６と、巻き取り用スプール２０７と、駆動モータ２０８と、ランプ２０９と、シャッタ機構２１０と、を備えている。フィルム映写装置２０２は、駆動モータ２０８により巻き出し用スプール２０６及び巻き取り用スプール２０７を駆動してフィルムＦを一定のコマ送り速度で送り、ランプ２０９の光をシャッタ機構２１０の開閉で一定時間だけフィルムＦに当てることで、単位時間に一定のコマ数のフィルム映像（コマ数／秒）を映写する。
【００３３】
前記ビデオ撮影装置２０３は、フィルム映写装置２０２のランプ２０９に対して、フィルムＦを挟んで反対側に配設され、単位時間に撮影するビデオ画像のフレーム数を２５フレーム／秒とするＰＡＬ方式のビデオ撮影装置であり、フィルム映写装置２０２の映写するフィルム映像をビデオ画像として撮影する。
【００３４】
前記同期制御部２０４は、同期信号発生回路２１１とモータ制御回路２１２とを備えている。同期信号発生回路２１１は、ビデオ撮影装置２０３が単位時間に生成するビデオ画像のフレーム数の２５フレーム／秒に対応するビデオ同期信号を発生し、フィルム映写装置２０２及びビデオ撮影装置２０３に供給する。モータ制御回路２１２は、ビデオ同期信号を受けてフィルム映写装置２０２を制御する。
【００３５】
前記同期制御部２０４は、フィルム映写装置２０２が単位時間に映写するフィルム映像のコマ数を、ビデオ撮影装置２０３が単位時間に生成するビデオ画像のフレーム数の２５フレーム／秒に対応させるように、フィルム映写装置２０２の駆動モータ２０８及びシャッタ機構２１０をモータ制御回路２１２によりビデオ同期信号で制御する。また、同期制御部２０４は、ビデオ撮影装置２０３のフレーム数に対応する２５コマ／秒のコマ数で映写されるフィルム映写装置２０２のフィルム映像を撮影し、ＰＡＬ方式の２５フレーム／秒のビデオ画像を生成するように、ビデオ撮影装置２０３をビデオ同期信号で制御する。
【００３６】
前記画像変換部２０５は、ノン・リニアビデオ編集装置等のデジタル映像処理装置からなり、ビデオ画像の再生形式をＰＡＬ方式において２５フレーム／秒から、通常のフィルムＦのコマ送り速度に対応する２４フレーム／秒に変換して出力する。
【００３７】
次に作用を説明する。
フィルムビデオ変換装置２０１は、電源を投入すると、同期制御部２０４の同期信号発生回路２１１がＰＡＬ方式のビデオ撮影装置２０３のフレーム数の２５フレーム／秒に対応するビデオ同期信号を発生し、フィルム映写装置２０２及びビデオ撮影装置２０３に供給する。
【００３８】
フィルム映写装置２０２は、ビデオ同期信号を受けたモータ制御回路２１２により駆動モータ２０８及びシャッタ機構２１０の駆動を制御され、巻き出し用スプール２０６及び巻き取り用スプール２０７を駆動してフィルムＦをビデオ撮影装置２０３のフレーム数の２５フレーム／秒に対応する２５コマ／秒のコマ送り速度で送り、ランプ２０９の光をシャッタ機構２１０の開閉で一定時間だけフィルムＦに当てる。
これにより、フィルム映写装置２０２は、ビデオ画像のフレーム数の２５フレーム／秒に対応する２５コマ／秒のコマ数でフィルム映像を映写する。
【００３９】
ビデオ撮影装置２０３は、同期制御部２０４の同期信号発生回路２１１から供給されるビデオ同期信号により動作を制御され、ＰＡＬ方式のフレーム数に対応する２５コマ／秒のコマ数で映写されるフィルム映写装置２０２のフィルム映像を撮影し、２５フレーム／秒のビデオ画像を生成する。
【００４０】
ビデオ撮影装置２０３の撮影したビデオ画像は、画像変換部２０５に入力される。画像変換部２０５は、ビデオ画像をＰＡＬ方式において２５フレーム／秒から２４フレーム／秒の９６％再生速度に変換して出力する。出力されたビデオ画像は、ＰＡＬ方式のテレビジョンで再生することができる。
【００４１】
この実施例のフィルムビデオ変換装置２０１は、ＰＡＬ方式のビデオ同期信号の２５フレーム／秒で、直接フィルム映写装置２０２の駆動モータ２０８及びシャッタ機構２１０を駆動し、フィルムＦのコマ送り速度を２５コマ／秒に変換する。このフィルム映像を撮影して得られるビデオ画像は、ＰＡＬ方式と同期は取れているものの、画像速度が２５／２４＝１．０４１６１６…となり、通常の速度の約４％アップとなる。
そこで、フィルムビデオ変換装置２０１は、映像速度・音声ピッチの４％アップを補正するために、生成されたビデオ画像をデジタル映像処理装置（ノン・リニアビデオ編集装置等）の画像変換部１０５を通し、９６％に再生速度調整を行う。これにより、再生画像は、２５／２４×０．９６＝０．９９９９…とほぼ本来の速度となるので、同期が取れ、且つ正規の映画速度を持つＰＡＬ方式のビデオ画像へ変換することが可能となる。このため、このフィルムビデオ変換装置１は、ＰＡＬ方式の完全同期型のテレシネ装置としての機能を実現することができる。
【００４２】
このように、このフィルムビデオ変換装置２０１は、同期制御部２０４によって、フィルム映写装置２０２が単位時間に映写するフィルム映像のコマ数をＰＡＬ方式のビデオ撮影装置２０３が単位時間に生成するビデオ画像のフレーム数の２５フレーム／秒に対応させるようにフィルム映写装置２０２をビデオ同期信号で制御し、ビデオ撮影装置２０３のフレーム数に対応する２５コマ／秒のコマ数で映写されるフィルム映写装置２０２のフィルム映像を撮影してビデオ画像を生成するようにビデオ撮影装置２０３をビデオ同期信号で制御している。
これにより、このフィルムビデオ変換装置２０１は、フィルム映像のコマ数に同期させてＰＡＬ方式の２５フレーム／秒のフレーム数のビデオ画像を生成することができ、フィルム画像とビデオ画像とを同期させてビデオ画像のぼやけを解消することができる。
また、このフィルムビデオ変換装置２０１は、画像変換部２０５によって、ビデオ撮影装置２０３が生成したビデオ画像の再生形式をＰＡＬ方式において速度調整して出力することで、正規のフィルム映像速度となっているビデオ画像であり、且つテレビジョンのＰＡＬ方式に完全に対応したビデオ画像の信号を出力することができる。
これにより、このフィルムビデオ変換装置２０１は、安価でかつ安定したフィルムビデオ変換装置を実現することができる。
【産業上の利用可能性】
【００４３】
この発明は、フィルム画像とビデオ画像とを同期させてビデオ画像のぼやけを解消し、安価でかつ安定したフィルムビデオ変換装置を実現することができ、各種の種類のフィルム映像をビデオ画像に変換するテレシネ装置に適用することができる。
【図面の簡単な説明】
【００４４】
【図１】第１実施例を示すフィルムビデオ変換装置のシステム構成図である。
【図２】第２実施例を示すフィルムビデオ変換装置のシステム構成図である。
【図３】第３実施例を示すフィルムビデオ変換装置のシステム構成図である。
【符号の説明】
【００４５】
１  フィルムビデオ変換装置
２  フィルム映写装置
３  ビデオ撮影装置
４  同期制御部
５  画像変換部
６  巻き出し用スプール
７  巻き取り用スプール
８  駆動モータ
９  ランプ
１０  シャッタ機構
１１  同期信号発生回路
１２  モータ制御回路
【図１】
2010011006.tif 000003
【図２】
2010011006.tif 000004
【図３】
2010011006.tif 000005